(57)【要約】【課題】ドアパネルによって室内空間無駄に占有されることがなく、かつドアパネルの開閉操作が楽であり、しかも施工が容易でコストを低く抑えられる移動式ドアパネルを提供すること。【解決手段】天井１８側に架設したガイドレール１３に移動自在に装架した吊具１１に支持された左右２つのドアパネル２，７をガイドレール１３に沿って開閉可能な移動式ドアパネル１において、これら各ドアパネル２，７は左右端部側にそれぞれ吊具１１，１１を有し、全ての吊具１１，・・・は一本のガイドレール１３によって装架されている。【選択図】図１
2007170016.tif 000002
【特許請求の範囲】
【請求項１】
天井側に架設したガイドレールに移動自在に装架した吊具に支持された左右２つのドアパネルをガイドレールに沿って開閉可能な移動式ドアパネルであって、前記各ドアパネルは左右端部側にそれぞれ吊具を有し、全ての吊具は一本のガイドレールによって装架されていることを特徴とする移動式ドアパネル。
【請求項２】
前記２つのドアパネルが閉鎖状態にあるとき、両ドアパネルの表裏面が面一に並列される請求項１に記載の移動式ドアパネル。
【請求項３】
前記２つのドアパネルはそれぞれ前記吊具と連結した上部フレームを有し、２つのドアパネルが閉鎖状態にあるとき、一方のドアパネルの上部フレームの端部に形成した嵌合凹部に、他方のドアパネルの上部フレームの端部が嵌合する請求項２に記載の移動式ドアパネル。
【請求項４】
前記２つのドアパネルが閉鎖状態にあるとき、左方のドアパネルの右端部側吊具は右方のドアパネル左端部側吊具より右側にある請求項２または３に記載の移動式ドアパネル。
【請求項５】
前記２つのドアパネルが閉鎖状態にあるとき、前記右方のドアパネル左端部側吊具は、左方のドアパネルに設けられた係止突片によって移動が規制される請求項４に記載の移動式ドアパネル。
【請求項６】
前記２つのドアパネルの閉鎖時に対峙する側の両ドアパネルの側面部には、互いに当接可能な傾斜面が形成されている請求項１乃至５のいずれかに記載の移動式ドアパネル。
【請求項７】
前記２つのドアパネルの閉鎖時に対峙する側の両ドアパネルの側面部には、互いに係合可能な凹凸面が形成されている請求項１乃至６のいずれかに記載の移動式ドアパネル。
【発明の詳細な説明】
【技術分野】
【０００１】
本発明は、天井側に架設したガイドレールに移動自在に装架した吊具に支持された左右２つのドアパネルをガイドレールに沿って開閉可能な移動式ドアパネルに関する。
【背景技術】
【０００２】
従来、室内等の空間の間仕切りに利用される２つのドア本体は、天井側に架設した二本のガイドレールに対して、各ドア対の上部に設けた一対のランナー体を介して摺動可能に装架することで、ドア体を開閉していた。そして、各々のドア本体をそれぞれのガイドレールに沿って、互いに近接する方向に向けて移動していくと上面視で重ね合わさり、間仕切りで分割された室内空間の一部を連結する出入口が形成され、この出入口から２つの空間の往来が行えるようになっている（例えば、特許文献１参照）。しかしながら、二本のガイドレールにドア本体が各々装架されたことで、ガイドレールの施工コストがかさむとともに、各ドア本体の装架構造が複雑となり手間が掛かっていた。
【０００３】
そこで、二本のガイドレールを設けることなく、一本の吊りレールを天井側に架設して、この吊りレールに２つで一組の移動回転用キャスターを摺動可能に設け、蝶番で連結された一対の扉体からなる折れ戸の左右端の上部をそれぞれ移動回転用キャスターに連結した移動折れ戸が公知である（例えば、特許文献２参照）。この公知の移動折れ戸は、出入り口を形成する場合は、折れ戸を上面視で吊りレールに対して略垂直方向に折り曲げて一対の扉体を互いに重ね合わせるようにしている。しかし一本の吊りレールに折れ戸を複数設けた場合には、出入り口を形成する時に折れた扉体が室内側に突設してしまい、室内のスペースを有効に活用できない虞があった。
【０００４】
このような事情に鑑み、折れ戸を使用することなく、１つの上レールに複数の引き戸パネルを並列し、上レールのいずれか一方端側に引き戸パネルを収納可能な収納凹部を設け、この収納凹部内に一枚づつ引き戸パネルを折り重ねるように収納していくことで、出入り口が形成される室内の間仕切り構造も開発されている（例えば、特許文献３参照）。
【０００５】
【特許文献１】特開平９−２５６７２７号公報（段落０００８〜０００９、図１，８）
【特許文献２】特開２００５−２９９７２号公報（段落００３９〜００４２、図３，４）
【特許文献３】特開２００２−２８５６６４号公報（段落００４０〜４１、図１〜５）
【発明の開示】
【発明が解決しようとする課題】
【０００６】
しかしながら特許文献３のように、複数の引き戸パネルを収納できる収納凹部を上レールの一方端側に設けた場合には、部屋の一部が引き戸パネルの収納空間として使用されてしまい、部屋のスペースが有効に利用できないばかりでなく、収納凹部の施工のためにコストが嵩み、しかも間仕切りとして使用する際には、収納されている引き戸パネルを収納凹部から取り出し上レールに再装着する手間も掛かった。
【０００７】
本発明は、このような問題点に着目してなされたもので、ドアパネルによって室内空間無駄に占有されることがなく、かつドアパネルの開閉操作が楽であり、しかも施工が容易でコストを低く抑えられる移動式ドアパネルを提供することを目的とする。
【課題を解決するための手段】
【０００８】
上記課題を解決するために、本発明の請求項１に記載の移動式ドアパネルは、天井側に架設したガイドレールに移動自在に装架した吊具に支持された左右２つのドアパネルをガイドレールに沿って開閉可能な移動式ドアパネルであって、前記各ドアパネルは左右端部側にそれぞれ吊具を有し、全ての吊具は一本のガイドレールによって装架されていることを特徴としている。
この特徴によれば、全ての吊具を一本のガイドレールによって装架することができるので、ドアパネルによって室内空間が無駄に占有されることがなく、かつドアパネルを移動させるだけでドアパネルの開閉操作が楽に行え、しかも施工が容易でコストを低く抑えられる。
【０００９】
本発明の請求項２に記載の移動式ドアパネルは、請求項１に記載の移動式ドアパネルであって、前記２つのドアパネルが閉鎖状態にあるとき、両ドアパネルの表裏面が面一に並列されることを特徴としている。
この特徴によれば、２つのドアパネルを閉鎖状態にしたときに両ドアパネルの表裏面が面一に並列されるので、見栄えが良いばかりでなく、段差部がないので、手が挟まれたり、足が段差部に突っかかる虞がない。
【００１０】
本発明の請求項３に記載の移動式ドアパネルは、請求項２に記載の移動式ドアパネルであって、前記２つのドアパネルはそれぞれ前記吊具と連結した上部フレームを有し、２つのドアパネルが閉鎖状態にあるとき、一方のドアパネルの上部フレームの端部に形成した嵌合凹部に、他方のドアパネルの上部フレームの端部が嵌合することを特徴としている。
この特徴によれば、一方のドアパネルの端部に形成した嵌合凹部に、他方のドアパネルの端部が嵌合することで、２つのドアパネルの閉鎖時に、両ドアパネルの表裏面を容易に面一にさせることができる。
【００１１】
本発明の請求項４に記載の移動式ドアパネルは、請求項２または３に記載の移動式ドアパネルであって、前記２つのドアパネルが閉鎖状態にあるとき、左方のドアパネルの右端部側吊具は右方のドアパネル左端部側吊具より右側にあることを特徴としている。
この特徴によれば、２つのドアパネルが閉鎖状態にあるとき、左方のドアパネルの右端部側吊具が右方のドアパネル左端部側吊具より右側にあるので、吊具が絡むことなく円滑にドアパネルを移動させることができる。
【００１２】
本発明の請求項５に記載の移動式ドアパネルは、請求項４に記載の移動式ドアパネルであって、前記２つのドアパネルが閉鎖状態にあるとき、前記右方のドアパネル左端部側吊具は、左方のドアパネルに設けられた係止突片によって移動が規制されることを特徴としている。
この特徴によれば、閉鎖時に右方のドアパネル左端部側吊具が左方のドアパネルの係止突片により移動が規制されるので、左右のドアパネルの連結強度が高められ、右方のドアパネルの安易な取り外れが防止される。
【００１３】
本発明の請求項６に記載の移動式ドアパネルは、請求項１乃至５のいずれかに記載の移動式ドアパネルであって、前記２つのドアパネルの閉鎖時に対峙する側の両ドアパネルの側面部には、互いに当接可能な傾斜面が形成されていることを特徴としている。
この特徴によれば、両ドアパネルの側面部に形成した傾斜面を利用して、ドアパネルの閉鎖時或いは開口時に２つのドアパネルの円滑な移動を実現できる。
【００１４】
本発明の請求項７に記載の移動式ドアパネルは、請求項１乃至６のいずれかに記載の移動式ドアパネルであって、前記２つのドアパネルの閉鎖時に対峙する側の両ドアパネルの側面部には、互いに係合可能な凹凸面が形成されていることを特徴としている。
この特徴によれば、互いの凹凸面の凹凸係合によって、閉鎖時には両ドアパネルの連結強度が向上されるとともに、互いのドアパネルの前後方向へのブレも防止される。
【発明を実施するための最良の形態】
【００１５】
本発明の実施例を以下に説明する。
【実施例１】
【００１６】
図１は、本発明の実施例１における２つの移動式ドアパネルによって室内空間が２つに仕切られたこと示す斜視図であり、図２は、２つのドアパネルから構成される移動式ドアパネルを示す分解組立斜視図であり、図３は、２つのドアパネルにより開口部が閉鎖された状態を示す要部拡大斜視図であり、図４（ａ）は、図３の各ドアパネルを示す平面図であり、図４（ｂ）は、図３の各ドアパネルを示す右側面図であり、図５は、２つのドアパネルによる開口部の開放開始状態を示す要部拡大斜視図であり、図６（ａ）は、図５の各ドアパネルを示す平面図であり、図６（ｂ）は、図５の各ドアパネルを示す右側面図であり、図７（ａ）は、一方のドアパネルの正面側に他方のドアパネルを移動して、右方に開口部を形成した斜視図であり、図７（ｂ）は、同様に、左方に開口部を形成した斜視図である。
【００１７】
この移動式ドアパネルは、２つの室内空間の間仕切りに利用されており、以下、本実施例１の説明において、図１に図示された移動式ドアパネル１に対面した状態で見て、移動式ドアパネル１の手前正面側を前方とし、奥行き背面側を後方とし、左手側を左方、右手側を右方として説明する。
【００１８】
図１に示されるように、移動式ドアパネル１は略同型の一方の左ドアパネル２および他方の右ドアパネル７の２枚組みで構成され、天井１８から床面２０の上下方向に向けて立設するように配置され、予め天井１８の左右方向に向けて延設されたスチールやアルミ金属等の板金折曲げにより成型される一本のガイドレール１３に、板状の吊具１１が装架されている。
【００１９】
左右の両ドアパネル２，７はそれぞれ左右の端部側に配置した一対の吊具１１，１１を有し、これら４本の吊具の上部は１本のガイドレール１３に移動自在に装架されているので、このガイドレール１３に沿って左右ドアパネル２，７が左右方向に開閉することができる。そして、図示されるように左ドアパネル２の右側面部２ｂと、右ドアパネル７の左側面部７ａとが当接された状態において、移動式ドアパネル１を境に室内空間が２つに区画１６，１７された閉鎖状態となる。
【００２０】
両ドアパネル２，７は、上下方向に長い矩形のパネル本体３，８で構成され、その上部にそれぞれ上部フレーム４，９が設けられている。この上部フレーム４，９はスチール等の金属板金による折り曲げ加工によって成型されている。なお、この上部フレーム４，９は、パネル本体３，８の荷重が支持され、加工しやすい材質であれば他の材料であっても良い。
【００２１】
一方のパネル本体３の略中間位置左方部には手掛部３ｃが形成され、同様に他方のパネル本体８の略上下中間位置の左右にはそれぞれ手掛部８ｃ，８ｃが形成され、これら手掛部３ｃ，８ｃを利用して両左右ドアパネル２，７の開閉移動操作を行えるようになっている。尚、パネル本体３，８はプラスチック材・木材・金属材等のいずれの材質や組み合わせによって構成されている。
【００２２】
次いで、左右に位置する両左右ドアパネル２，７と天井１８の吊持構造について具体的に説明する。図２に示されるように、下方に向けて開口する略コ字状のガイドレール１３には、上端部に左右の長さ方向に沿って、上下に貫通するネジ貫通孔１３ｃが所定間隔で複数形成されており、このネジ貫通孔１３ｃと同じ所定間隔で、天井１８にはネジ穴１８ａが所定間隔で複数形成されている。
【００２３】
ガイドレール１３の下端部には、左右の長さ方向に沿って略コ字状の開口に前後に対峙する係止爪１３ｂ，１３ｂが突設され、ガイドレール１３の内部には、左右の長さ方向に向けて案内溝１３ａが形成されており、ネジ１９をガイドレール１３の係止爪１３ｂ，１３ｂの間隙から上方に向けて挿通し、ネジ貫通孔１３ｃを介してネジ穴１８ａに螺合することで、天井１８にガイドレール１８が固定される。
【００２４】
このガイドレール１３に移動自在に装架した吊具１１は、上下方向の軸心に対して回動可能なローラー体１１ａと、板状の吊持帯１１ｃと、ローラー体１１ａと吊持帯１１ｃとを連結するリング体１１ｂと、で構成されている。そしてガイドレール１３の案内溝１３ａ内にローラー体１１ａを端部から挿入することで、ローラー体１１ａの下端が係止爪１３ｂ，１３ｂに支持される。
【００２５】
次いで、左右ドアパネル２，７のガイドレール１３への取り付けについて説明する。先ず、ガイドレール１３の左端の案内溝１３ａから右端に向けて、上部フレーム９の右側端部９ｂに設けた吊具１１のローラー体１１ａを挿通させ、次いで嵌合片６の吊具保持部６ａに設けた吊具１１のローラー体１１ａを挿通させ、更に上部フレーム９の左側端部９ａに設けた吊具１１のローラー体１１ａを挿通させ、最後に嵌合片６の左側端部６ｃに設けられた吊具１１のローラー体１１ａを挿通させることで、図１に示された移動式ドアパネル１の装架状態となり、上部フレーム４の右側端部と嵌合片６との間に形成される嵌合凹部５に、上部フレーム９の左側端部９ａが嵌合する状態となり、図３に示すように両ドアパネル２，７の一部が交差された位置関係となっている。
【００２６】
尚、ガイドレール１３の右端の案内溝１３ａから左端に向けて、左右ドアパネル２，７の取り付けを行う場合には、前述の順序を逆にすることで、両ドアパネル２，７を装架することもできる。なお、吊持帯１１ｃには上下方向への引っ張り力に対して強度を備えた高引張強度のシートで成型されており、例えば、強化ガラス繊維が用いられたプログレンやケブラ等の布状繊維シートが用い、または引張強度の高い金属板金等を用いることで、左右ドアパネル２，７の荷重をより強固に支持可能な構成にしても良い。
【００２７】
左の上部フレーム４の上部位置および後部位置には逆Ｌ字状に屈曲成型された嵌合片６が接続固定され、この嵌合片６の右端上面には前方に向けて開口された切欠溝６ｂと吊具保持部６ａが形成されている。嵌合片６の左側端部６ｃおよび保持部６ａには、吊持帯１１ｃ，１１ｃの下端部が取り付けら、左ドアパネル２の荷重が２つの吊具１１，１１によって支持される。他方の右ドアパネル７の上部フレーム９の上部位置の左側端部９ａおよび右側端部９ｂには、吊持帯１１ｃ，１１ｃの下端部が取り付けられ、右ドアパネル７の荷重が２つの吊具１１，１１によって支持される。
【００２８】
図３および図４（ａ）に示されるように、上部フレーム４及び本体パネル３の右側面を構成する左ドアパネル２の右側面部２ｂは、上面視で後方に向けて肉厚が次第に薄くなる滑らかな傾斜面として形成され、一方、上部フレーム９及び本体パネル８の左側面を構成する右ドアパネル１の左側面部７ａは、上面視で後方に向けて肉厚が次第に厚くなる滑らかな傾斜面として形成されている。そして移動式ドアパネル１の閉鎖状態においては、左ドアパネル２の右側面部２ｂと右ドアパネル７の左側面部７ａが当接されており、上部フレーム９左側部が嵌合凹部５に嵌合される。
【００２９】
そして、移動式ドアパネル１の閉鎖状態では、左右ドアパネル２，７は並列で両ドアパネルの表裏面が面一となるように一直線状となり、図４（ｂ）にも示されるように、この移動式ドアパネル１を間仕切りとして、室内空間の一方の区画１６と他方の区画１７とに分断できる。このようにして、２つの左右ドアパネル２，７の閉鎖時には、これら両ドアパネル２，７の表裏面を容易に面一にさせることができるので、見栄えが良いばかりでなく段差部がないので、手が挟まれたり足が段差部に突っかかる虞も防止される。
【００３０】
さらに、図３に示されているように、この移動式ドアパネル１の閉鎖状態においては、上部フレーム９の左側端部９ａに設けられた吊持帯１１ｃは、嵌合片６の切欠溝６ｂ内に収納されるとともに、嵌合片６の吊具保持部６ａに設けられた吊持帯１１ｃよりも左側に位置した状態となっていることから、ドアパネル開閉時の両吊持帯１１ｃ，１１ｃ同士の絡みを防止することができる。しかも閉鎖工程の終了近傍から閉鎖終了に掛けて、左ドアパネル２の右側面部２ｂと右ドアパネル１の左側面部７ａは滑らかに形成した傾斜面が互いに摺接しながら閉鎖時することで、ドアパネルの閉鎖移動をスムーズに行うことができる。
【００３１】
次に、移動式ドアパネル１の閉鎖状態［図１参照］から右ドアパネル７を矢示される左方に向けて移動することで、移動式ドアパネル１を開口状態とする操作過程について以下に説明する。
【００３２】
右ドアパネル７の手掛部８ｃ，８ｃの少なくともいずれか一方に手を掛け左方に向けて移動していくと、図５および図６（ａ）に示されるように、右ドアパネル７の左側面部７ａの傾斜面が左ドアパネル２の右側面部２ｂの傾斜面とが摺接しながら左方に向けて移動されていくとともに、右ドアパネル７の左側端部９ａに設けられた吊持帯１１ｃが、左ドアパネル７の嵌合片６に形成された切欠溝６ｂより離脱する。右ドアパネル７の左側面部７ａと左ドアパネル２の右側面部２ｂとは滑らかな傾斜面で当接しているので、右ドアパネル７は左方に向けて円滑に案内される。
【００３３】
そして、図６（ｂ）に示されるように、右ドアパネル７が左ドアパネル２に対してさらに左方に向けて移動が継続されることで、左ドアパネル２の前面に右ドアパネル７の後面が当接しながら左方に移動する。この状態においては両ドアパネル２，７の前後位置の関係により、吊具１１は各リング体１１ｂを中心として斜めに傾斜する。
【００３４】
このように、両ドアパネル２，７が各々吊具１１，１１を介して一本のガードレール１３に装架されたことで、天井１８に対するガードレールの占有率も低減されるとともに、コストが低く抑えられ、且つガイドレール１３や両ドアパネル２，７の取り付け等に関わる施工も容易に行うことができる。
【００３５】
さらに、図７（ａ）に示されるように、右ドアパネル２が左ドアパネル７の前面に重なる位置まで移動されることにより移動完了となり、移動式ドアパネル１の開口状態となる。この開口状態においては、両ドアパネル２，７の右側に前方および後方の室内空間の区画１６，１７が連通される開口部１４が形成され、両ドアパネル２，７による間仕切りが解除される。
【００３６】
なお、上記説明は右ドアパネル７を左方に移動させた例で説明したが、左ドアパネル２を右に移動させてドアパネルの閉鎖状態を開口することも可能である。即ち、両ドアパネル２，７の閉鎖状態から左ドアパネル２を例えば手掛部３ｃを利用して、図７（ｂ）に示されるように右方に移動することで、前述した移動過程とは逆に、左ドアパネル２の右側面部２ｂが右ドアパネル７の左側面部７ａを乗り上げるように右方に移動し、更に右ドアパネル７の後方側に重なるように左ドアパネル２が移動させることで、両ドアパネル２，７の左側に開口部１５が形成され、前述の開口部１４と同様に、前方および後方の区画１６，１７が連通された状態となる。また更に付け加えて言うと、図７（ａ）のドアパネルが重なった状態のまま、図７（ｂ）のドアパネルが重なった状態へ、又はその逆の移動を可能である。
【００３７】
本実施例では、左右のドアパネル２，７を一本のガイドレール１３に装架することで、ドアパネル２，７によって室内空間が無駄に占有されることがなく、かつドアパネル２，７を移動させるだけでドアパネル２，７の開閉操作が楽に行え、しかも施工が容易でコストを低く抑えることができる。
【実施例２】
【００３８】
次に、本発明の実施例２を図８に基づいて説明する。図８（ａ）は、２つのドアパネルによる開口部の閉鎖開始状態を示す要部拡大平面図であり、図８（ｂ）は、開口部が閉鎖された状態を示す要部拡大平面図である。尚、以下の実施例２において前述の実施例１と同様の構造部分に関しては、同一の符号を付すことにより詳細な説明は省略することにする。
【００３９】
図８（ａ）に示されるように、移動式ドアパネル２１を構成する左ドアパネル２２の右側面部２ｂおよび、右ドアパネル２７の左側面部７ａの中間および下方位置には、互いに係合可能な凹凸面が形成されており、右側面部２ｂの略前後中央位置に左方に向けて凹没された係合凹部２２ａ、左側面部７ａの略前後中央位置に左方に向けて突設された係合凸部２７ａが形成されている。
【００４０】
そこで、右ドアパネル２７を開口部（図示省略）が開放された状態から、矢示される右斜め後ろ方向に向けて移動していくと、右側面部２ｂに左側面部７ａが沿って案内されながら、図８（ｂ）に示されるように、前述した開口部の閉鎖時に右ドアパネル２７の嵌合凸部２７ａが徐々に右側面部２ｂに沿って案内されていき、左ドアパネル２２の嵌合凹部２２ａに嵌合される。つまり、この凹凸係合によって、開口部の閉鎖時には左ドアパネル２２と右ドアパネル２７との連結強度が向上されるとともに、互いのドアパネル２２，２７の中間および下方位置の前後方向へのブレも防止される。
【実施例３】
【００４１】
次に、本発明の実施例３を図９に基づいて説明する。図９（ａ）は、２つのドアパネルにより開口部が閉鎖された状態を示す右側面図であり、図９（ｂ）は、２つのドアパネルにより開口部が形成された状態を示す右側面図である。尚、以下の実施例３において前述の実施例１と同様の構造部分に関しては、同一の符号を付すことにより詳細な説明は省略することにする。
【００４２】
図９（ａ）に示されるように、ガイドレール１３の直下に位置する床面２０位置には、ゴム板等の摩擦力を有するブレ防止部材２８が、移動式ドアパネル１を構成する左右ドアパネル２，７の前後幅かつ左右幅と略同じ長さで取り付けられており、床面２０と略面一となっている。開口部（図示省略）を閉鎖した状態においては、ブレ防止部材２８に左右ドアパネル２，７の下端面２ｃ，７ｃが載置されており、前後左右方向の移動がブレ防止部材２８の摩擦面によって規制されることで、安定して室内空間が前後に区画１６，１７されている。
【００４３】
図９（ｂ）に示されるように、開口部（図示省略）の開放時および開放された状態においては、左右ドアパネル２，７が前後に重なった位置関係となるので、左右ドアパネル２，７をそれぞれ吊持する吊具１１の一部である，１１ｃの下端が、各々前後方向に離間するように傾斜される。したがって、これら吊持帯１１ｃ，１１ｃが傾斜し、左右ドアパネル２，７の下端面２ｃ，７ｃが、それぞれの床面２０およびブレ防止部材２８から若干上方に離間されることで、下端面２ｃ，７ｃのブレ防止部材２８からの規制が解除される。
【実施例４】
【００４４】
次に、本発明の実施例４を図１０に基づいて説明する。図１０（ａ）は、２つのドアパネルにより開口部が閉鎖された状態を示す要部拡大平面図であり、図１０（ｂ）は、開口部の開放開始状態を示す要部拡大平面図である。尚、以下の実施例４において前述の実施例１と同様の構造部分に関しては、同一の符号を付すことにより詳細な説明は省略することにする。
【００４５】
図１０（ａ）に示されるように、左ドアパネル３２（移動式ドアパネル３１の一方）の嵌合片６の切欠溝６ｂ内における左方側縁には、右方に突設された滑らかな周縁を有する係止突片３３が形成されており、開口部（図示省略）が閉鎖された状態において、右ドアパネル７（移動式ドアパネル３１の他方）の左側端部９ａを吊持する吊具１１の根本部が、係止突片３３によって切欠溝６ｂから前方への移動が阻止され、安易な取り外れが防止されており、左右のドアパネル３２，７の上部の連結強度が高められている。尚、係止突片３３の先端と吊具保持部６ａの側縁との左右幅は、吊持帯１１の左右幅と略同一または僅かに拡径されている。
【００４６】
ドアパネルを閉鎖状態から開放する際には、図１０（ｂ）に示されるように、吊持帯１１ｃの根本部が係止突片３３の先端と当接衝合しないように右ドアパネル７を若干右方に移動させて、矢印に示されるように係止突片３３を避けるようにして、やや前方手前に引き出し、係止突片３３を乗り越えた状態で、左方に向けて移動することで左ドア３２の前面に沿って移動され閉鎖状態が開放される。
【００４７】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、互いに対向する左ドアパネル２の右側面部２ｂおよび右ドアパネル７の左側面部７ａのそれぞれを傾斜面として形成したことで、ドアパネルの移動を円滑に行えることから好ましいが、本発明はこれに限定されるものではなく、例えば、右ドアパネル７の移動に際しては、右ドアパネル７を前方に牽引しながら左方に移動操作するようにしても良い。
【００４８】
また、上記実施例では上部フレーム４と嵌合片６を別体に形成して接合固定したものであるが、金属板の折り曲げ成形で一体に構成したものであっても良い。
【００４９】
また、上記実施例で用いられた移動式ドアパネル１は１つの室内空間を前後２つに区画する間仕切りとして用いられているが、本発明はこれに限定されるものではなく、例えば、一般家庭の家屋に備えられている押し入れ等の引き戸にも使用できることは言うまでもなく、使用者の利用形態に合わせて適宜左右のドアパネル２，７の幅や高さを調節して利用することが可能である。
【図面の簡単な説明】
【００５０】
【図１】本発明の実施例１における２つの移動式ドアパネルによって室内空間が２つに仕切られたこと示す斜視図である。
【図２】２つのドアパネルから構成される移動式ドアパネルを示す分解組立斜視図である。
【図３】２つのドアパネルにより開口部が閉鎖された状態を示す要部拡大斜視図である。
【図４】（ａ）は、図３の各ドアパネルを示す平面図であり、（ｂ）は、図３の各ドアパネルを示す右側面図である。
【図５】２つのドアパネルによる開口部の開放開始状態を示す要部拡大斜視図である。
【図６】（ａ）は、図５の各ドアパネルを示す平面図であり、（ｂ）は、図５の各ドアパネルを示す右側面図である。
【図７】（ａ）は、一方のドアパネルの正面側に他方のドアパネルを移動して、右方に開口部を形成した斜視図であり、（ｂ）は、同様に、左方に開口部を形成した斜視図である。
【図８】（ａ）は、実施例２における２つのドアパネルによる開口部の閉鎖開始状態を示す要部拡大平面図であり、（ｂ）は、開口部が閉鎖された状態を示す要部拡大平面図である。
【図９】（ａ）は、実施例３における２つのドアパネルにより開口部が閉鎖された状態を示す右側面図であり、（ｂ）は、２つのドアパネルにより開口部が形成された状態を示す右側面図である。
【図１０】（ａ）は、実施例４における２つのドアパネルにより開口部が閉鎖された状態を示す要部拡大平面図であり、（ｂ）は、開口部の開放開始状態を示す要部拡大平面図である。
【符号の説明】
【００５１】
１                移動式ドアパネル
２                左ドアパネル
２ｂ              右側面部
２ｃ              下端面
３                パネル本体
３ｃ              手掛部
４                上部フレーム
５                嵌合凹部
６                嵌合片
６ａ              吊具保持部
６ｂ              切欠溝
６ｃ              左側端部
７                右ドアパネル
７ａ              左側面部
７ｃ              下端面
８                パネル本体
８ｃ              手掛部
９                上部フレーム
９ａ              左側端部
９ｂ              右側端部
１１              吊具
１１ａ            ローラー体
１１ｂ            リング体
１１ｃ            吊持帯
１３              ガイドレール
１３ａ            案内溝
１３ｂ            係止爪
１３ｃ            ネジ貫通孔
１４              右方の開口部
１５              左方の開口部
１６              室内空間の一方の区画
１７              室内空間の他方の区画
１８              天井
１８ａ            ネジ穴
１９              ネジ
２０              床面
２１              移動式ドアパネル（実施例２）
２２              左ドアパネル
２２ａ            係合凹部
２７              右ドアパネル
２７ａ            係合凸部
２８              ブレ防止部材（実施例３）
２９              間隙
３１              移動式ドアパネル（実施例４）
３２              左ドアパネル
３３              係止突片
【図１】
2007170016.tif 000003
【図２】
2007170016.tif 000004
【図３】
2007170016.tif 000005
【図４】
2007170016.tif 000006
【図５】
2007170016.tif 000007
【図６】
2007170016.tif 000008
【図７】
2007170016.tif 000009
【図８】
2007170016.tif 000010
【図９】
2007170016.tif 000011
【図１０】
2007170016.tif 000012